(57)【要約】【課題】本発明は、ヘアーアイロンの非使用時に、操作レバーを押し下げた状態でも上パイプはもちろん髪押さえ板も開かず、収納性及びコンパクト性を向上させたヘアーアイロンを提供することを目的とする。【解決手段】本発明に係るヘアーアイロンＡは、切替軸５０の第１切替位置（ａ）においては、操作レバーのレバー部を押し下げると、下パイプに対して上パイプは開かず、上パイプに対して髪押さえ板のみが開き、第２切替位置（ｂ）においては、下パイプ、上パイプ及び髪押さえ板がそれぞれ開かずに、操作レバーのレバー部を押し下げることが可能とし、第３切替位置（ｃ）においては、操作レバーのレバー部を押し下げると、下パイプに対して上パイプと髪押さえ板とが連動して開くようにしたことを特徴とするものである。【選択図】        図１５
2015073841.tif 000002
【特許請求の範囲】
【請求項１】
電気ヒーターを内蔵して毛髪に熱を付与するヘアーアイロンであって、
少なくとも棒状の把持部と、把持部の一端に連設されて毛髪を挟み込む毛髪挟持部とからなり、
毛髪挟持部は、少なくとも下パイプ、上パイプ、髪押さえ板、操作レバー及び切替軸から構成され、
下パイプは、断面下半円状をなし、
上パイプは、下パイプの平坦面上に位置し、下パイプの平坦面に対して開閉自在の平坦面を有する断面上半円状をなし、
髪押さえ板は、上パイプの上半円周面上に位置し、上パイプの上半円周面に沿った上半円状の形状であって上パイプの上半円周面に対して開閉自在であり、
操作レバーは、レバー部がヘアーアイロンから突出して配されており、レバー部の押し下げ及び付勢力による押し上げにより、上パイプ及び押さえ板の開閉操作を行い、
切替軸は、変位させることにより、少なくとも第１切替位置、第２切替位置及び第３切替位置に切替可能であり、
第１切替位置においては、操作レバーのレバー部を押し下げると、下パイプに対して上パイプは開かずに上パイプに対して髪押さえ板のみが開き、
第２切替位置においては、下パイプ、上パイプ及び髪押さえ板がそれぞれ開かずに、操作レバーのレバー部を押し下げることが可能とし、
第３切替位置においては、操作レバーのレバー部を押し下げると、下パイプに対して上パイプと髪押さえ板とが開くようにした
ことを特徴とするヘアーアイロン。
【請求項２】
切替軸は、棒状をなし、断面角形部と該断面角形部の内接円より短い直径の断面円状部とからなる切替作用部と、その両端の突出部とから構成され、切替軸をその軸方向に摺動させて変位させることにより、少なくとも第１切替位置、第２切替位置及び第３切替位置に切替可能であり、
下パイプは、その把持部取付側に、下パイプに直交する方向に形成され、切替軸の突出部を受け、切替軸の回転に拘わらず回転しない一対の下半円状軸受部を有する下パイプ基材を備えており、
上パイプは、その把持部取付側に、上パイプに直交する方向に形成され、切替軸の切替作用部を受け、切替軸の断面角形部の回転と共に回転する一対の角形状軸受部を有する上パイプ基材を備えており、
髪押さえ板は、その把持部取付側に、髪押さえ板に直交する方向に形成され、切替軸の切替作用部を受ける第１切替軸受部と第２切替軸受部とを有する髪押さえ板基材を備えていて、第１切替軸受部は切替軸の断面角形部の回転と共に回転する角形状部と切替軸の断面角形部の回転に拘わらず回転しない円形状部とからなり、第２切替軸受部は切替軸の回転に拘わらず回転しない円形状であり、
第１切替軸受部と第２切替軸受部との間に回転子が配されており、
当該回転子は、切替軸の断面角形部を受ける角形状軸受部を有すると共に操作レバーのレバー部を押し下げることにより回転子を回転させる機構を備え、
操作レバーは、該操作レバーの切替軸取付側端部に、操作レバーに直交する方向に形成され、切替軸の突出部を受け、切替軸の回転に拘わらず回転しない一対の円形状軸受部を備え、
切替軸の第１切替位置は、切替軸の断面角形部が髪押さえ板基材の第１切替軸受部の角形状部に位置し、切替軸の断面円状部が上パイプ基材の角形状軸受部に位置し、
切替軸の第２切替位置は、切替軸の断面円状部が上パイプ基材の角形状軸受部、髪押さえ板基材の第１切替軸受部の円形状部及び第２切替軸受部に位置し、
切替軸の第３切替位置は、切替軸の断面角形部が上パイプ基材の角形状軸受部に位置するように構成した
ことを特徴とする請求項１に記載のヘアーアイロン。
【請求項３】
切替軸に、第１切替位置及び第３切替位置においては電気ヒーターに通電されて加熱され、第２切替位置においては電気ヒーターへの通電を遮断する通電切替機能を付与した
ことを特徴とする請求項１又は２に記載のヘアーアイロン。
【請求項４】
電気ヒーターへの通電を遮断する通電切替機能が、切替軸に連結部材を設け、該連結部材にマイクロスイッチを取り付け、切替軸の第１切替位置及び第３切替位置においてはマイクロスイッチがＯＮになって電気ヒーターに通電され、切替軸の第２切替位置においてはマイクロスイッチがＯＦＦになって電気ヒーターの通電が遮断されるように構成した
ことを特徴とする請求項３に記載のヘアーアイロン。
【発明の詳細な説明】
【技術分野】
【０００１】
本発明は、ヘアーアイロンに関し、特に、毛髪をカールさせるカール機能とカールなどした毛髪の癖を伸ばすストレート機能とを備えたヘアーアイロンに関する。
【背景技術】
【０００２】
従来より、下記特許文献１に示されるヘアーアイロンが知られている。すなわち、当該特許文献１に示されるヘアーアイロンは、グリップ及びアイロン部から構成され、一方が他方に対して離接できるように揺動可能な細長い下側バレルと上側バレル、及び該上側バレルに対して離接できるように揺動可能なクリップ板を備え、前記下側バレル及び上側バレルのそれぞれの接合面は、両者協働して毛髪をストレートに伸ばすストレーター機能を発揮し、前記下側バレル及び上側バレルのそれぞれの外周面は、両者協働して毛髪をカールさせるカール機能を発揮するヘアーアイロンにおいて、前記上側バレル及びクリップ板はそれぞれの後部部分で、下側バレルの後部部分に支軸により揺動可能に取り付けられており、前記下側バレル、上側バレル及びクリップ板の後部部分は、前記グリップの先端に納められており、前記下側バレル、上側バレル及びクリップ板の後部部分を利用して構成されている切替機構であって、前記クリップ板を前記上側バレル及び前記下側バレルに対して開くことを許容するカール機能設定位置と、前記上側バレルを前記クリップ板と共に前記下側バレルに対して開くことを許容するストレーター機能設定位置との間で切り替えるための切替機構と、前記クリップ板にヘアーアイロンから突出して形成された操作レバーとを備え、前記切替機構が前記カール機能設定位置に設定された場合に、前記操作レバーを所定の方向に回動することで、前記クリップ板を前記上側バレル及び前記下側バレルに対して開き、前記切替機構が前記ストレーター機能設定位置に設定された場合に、前記操作レバーを前記所定の方向に回動することで、前記上側バレルを前記クリップ板と共に前記下側バレルに対して開き、前記下側バレルの後部部分は前記グリップに固定されており、前記切替機構は、下側バレルの後部部分に設けられた上下方向に延びる長穴、上側バレルの後部部分に設けられた丸穴、クリップ板の後部部分に設けられた上下方向に延びる長穴、下側バレルの後部部分の長穴と上側バレルの後部部分の丸穴とクリップ板の後部部分の長穴を通って横方向に延びる切替軸、及びグリップを形成する壁部に対向して設けられた開口に配置された一対のプッシュボタンを備えており、前記切替軸及び一対のプッシュボタンは、一直線上に並べられ、切替軸の両端は一対のプッシュボタンの内側に接触しており、該一対のプッシュボタンの一方をプッシュすることにより、前記切替軸を軸方向一方に移動させて、カール機能設定位置及びストレーター機能設定位置の内の一方に設定する一方、他方のプッシュボタンをプッシュすることにより、前記切替軸を軸方向他方に移動させて、カール機能設定位置及びストレーター機能設定位置の内の他方に設定するようになっている構成を備えているものである。
【先行技術文献】
【特許文献】
【０００３】
【特許文献１】特許第５１１４１３９号公報
【発明の概要】
【発明が解決しようとする課題】
【０００４】
しかしながら、上記特許文献１に示すヘアーアイロンにおいては、操作レバーがヘアーアイロンから突出してクリップ板に形成されており、カール機能設定位置においては操作レバーを押し下げることによりクリップ板が上側バレルに対して開き、ストレーター機能設定位置においては操作レバーを押し下げることにより上側バレルと共にクリップ板が下側バレルに対して開く構造であるため、操作レバーを押し下げれば、少なくともクリップ板が開いてしまうので、ヘアーアイロンの非使用時にコンパクトにするためにクリップ板を閉じた状態にするには、ヘアーアイロンから突出している操作レバーを押し下げることができず、したがって、収納性が悪く、携帯時においてコンパクト性に劣るという欠点がある。
【０００５】
そこで、本発明者は、上記の問題点に鑑み、ヘアーアイロンの非使用時に、ヘアーアイロンから突出した操作レバーを押し下げた状態でも上パイプはもちろん髪押さえ板も開かず、収納性及びコンパクト性を向上させたヘアーアイロンを開発した。
【課題を解決するための手段】
【０００６】
本発明の請求項１に係るヘアーアイロンは、電気ヒーターを内蔵して毛髪に熱を付与するヘアーアイロンであって、少なくとも棒状の把持部と、把持部の一端に連設されて毛髪を挟み込む毛髪挟持部とからなり、毛髪挟持部は、少なくとも下パイプ、上パイプ、髪押さえ板、操作レバー及び切替軸から構成され、下パイプは、断面下半円状をなし、上パイプは、下パイプの平坦面上に位置し、下パイプの平坦面に対して開閉自在の平坦面を有する断面上半円状をなし、髪押さえ板は、上パイプの上半円周面上に位置し、上パイプの上半円周面に沿った上半円状の形状であって上パイプの上半円周面に対して開閉自在であり、操作レバーは、レバー部がヘアーアイロンから突出して配されており、レバー部の押し下げ及び付勢力による押し上げにより、上パイプ及び押さえ板の開閉操作を行い、切替軸は、変位させることにより、少なくとも第１切替位置、第２切替位置及び第３切替位置に切替可能であり、第１切替位置においては、操作レバーのレバー部を押し下げると、下パイプに対して上パイプは開かず、上パイプに対して髪押さえ板のみが開き、第２切替位置においては、下パイプ、上パイプ及び髪押さえ板がそれぞれ開かずに、操作レバーのレバー部を押し下げることが可能とし、第３切替位置においては、操作レバーのレバー部を押し下げると、下パイプに対して上パイプと髪押さえ板とが開くようにしたことを特徴とするものである。
【０００７】
また、本発明の請求項２に係るヘアーアイロンは、前記請求項１に記載のヘアーアイロンにおいて、切替軸は、棒状をなし、断面角形部と該断面角形部の内接円より短い直径の断面円状部とからなる切替作用部と、その両端の突出部とから構成され、切替軸をその軸方向に摺動させて変位させることにより、少なくとも第１切替位置、第２切替位置及び第３切替位置に切替可能であり、下パイプは、その把持部取付側に、下パイプに直交する方向に形成され、切替軸の突出部を受け、切替軸の回転に拘わらず回転しない一対の下半円状軸受部を有する下パイプ基材を備えており、上パイプは、その把持部取付側に、上パイプに直交する方向に形成され、切替軸の切替作用部を受け、切替軸の断面角形部の回転共に回転する一対の角形状軸受部を有する上パイプ基材を備えており、髪押さえ板は、その把持部取付側に、髪押さえ板に直交する方向に形成され、切替軸の切替作用部を受ける第１切替軸受部と第２切替軸受部とを有する髪押さえ板基材を備えていて、第１切替軸受部は切替軸の断面角形部の回転と共に回転する角形状部と切替軸の断面角形部の回転に拘わらず回転しない円形状部とからなり、第２切替軸受部は切替軸の回転に拘わらず回転しない円形状であり、第１切替軸受部と第２切替軸受部との間に回転子が配されており、当該回転子は、切替軸の断面角形部を受ける角形状軸受部を有すると共に操作レバーのレバー部を押し下げることにより回転子を回転させる機構を備え、操作レバーは、該操作レバーの切替軸取付側端部に、操作レバーに直交する方向に形成され、切替軸の突出部を受け、切替軸の回転に拘わらず回転しない一対の円形状軸受部を備え、切替軸の第１切替位置は、切替軸の断面角形部が髪押さえ板基材の第１切替軸受部の角形状部に位置し、切替軸の断面円状部が上パイプ基材の角形状軸受部に位置し、切替軸の第２切替位置は、切替軸の断面円状部が上パイプ基材の角形状軸受部、髪押さえ板基材の第１切替軸受部の円形状部及び第２切替軸受部に位置し、切替軸の第３切替位置は、切替軸の断面角形部が上パイプ基材の角形状軸受部に位置するように構成したことを特徴とするものである。
【０００８】
さらに、本発明の請求項３に係るヘアーアイロンは、前記請求項１又は請求項２に記載のヘアーアイロンにおいて、切替軸に、第１切替位置及び第３切替位置においては電気ヒーターに通電されて加熱され、第２切替位置においては電気ヒーターへの通電を遮断する通電切替機能を付与したことを特徴とするものである。
【０００９】
さらにまた、本発明の請求項４に係るヘアーアイロンは、前記請求項３に記載のヘアーアイロンにおいて、電気ヒーターへの通電を遮断する通電切替機能が、切替軸に連結部材を設け、該連結部材にマイクロスイッチを取り付け、切替軸の第１切替位置及び第３切替位置においてはマイクロスイッチがＯＮになって電気ヒーターに通電され、切替軸の第２切替位置においてはマイクロスイッチがＯＦＦになって電気ヒーターの通電が遮断されるように構成したことを特徴とするものである。
【００１０】
なお、切替軸の断面角形部とは、断面が正方形だけではなく多角形を含むことを意味する。また、切替軸の断面円状部とは、断面が円形だけではなく扇形などの円の一部の形状を含むことを意味する。
【発明の効果】
【００１１】
本発明に係るヘアーアイロンは、上記のように構成したことにより、切替軸の第２切替位置においては、下パイプ、上パイプ及び髪押さえ板がそれぞれ開かずに、押し下げやすいように突出して形成されている操作レバーのレバー部を押し下げることが可能となるので、ヘアーアイロンの非使用時に、収納性及びコンパクト性を向上させることができる。
【００１２】
また、切替軸の第２切替位置においては、電気ヒーターへの通電が遮断されるので、操作レバーのレバー部を押し下げた状態で操作レバーと共に毛髪挟持部をカバー内に収納したときに、電気ヒーターに通電されていないので、ヘアーアイロンが加熱することがないので、安全性が向上する。
【図面の簡単な説明】
【００１３】
【図１】本発明の実施例に係るヘアーアイロンの側面図である。
【図２】本発明の実施例に係るヘアーアイロンのカバー内に収納した状態を示す側面図である。
【図３】本発明の実施例に係るヘアーアイロンであって、切替軸の第１切替位置において、操作レバーのレバー部を押し下げて髪押さえ板及び上パイプを開いた状態を示す斜視図である。
【図４】本発明の実施例に係るヘアーアイロンであって、切替軸の第２切替位置において、操作レバーのレバー部を押し下げた状態を示す斜視図である。
【図５】本発明の実施例に係るヘアーアイロンであって、切替軸の第３切替位置において、操作レバーのレバー部を押し下げて髪押さえ板のみを開いた状態を示す斜視図である。
【図６】本発明の実施例に係るヘアーアイロンであって、下パイプと下パイプ基材との連結構造を示し、図中（ａ）は組立斜視図であり、図中（ｂ）は分解斜視図である。
【図７】本発明の実施例に係るヘアーアイロンであって、上パイプと上パイプ基材との連結構造を示し、図中（ａ）は組立斜視図であり、図中（ｂ）は分解斜視図であり、図中（ｃ）は上パイプ基材を下方から見た斜視図である。
【図８】本発明の実施例に係るヘアーアイロンであって、髪押さえ板と髪押さえ板基材との連結構造を示し、図中（ａ）は組立斜視図であり、図中（ｂ）は分解斜視図であり、図中（ｃ）は髪押さえ板基材を右側面上方側から見た斜視図であり、図中（ｄ）は髪押さえ板基材を下方から見た斜視図である。
【図９】本発明の実施例に係るヘアーアイロンであって、髪押さえ板基材と固定子との連結構造を示し、図中（ａ）は組立斜視図であり、図中（ｂ）は分解斜視図である。
【図１０】図９（ａ）の組立体と、マイクロスイッチの連結部材を設けた切替軸との連結構造を示し、図中（ａ）は組立斜視図であり、図中（ｂ）は分解斜視図である。
【図１１】図１０（ａ）の組立体にマイクロスイッチを取り付けた状態を示し、図中（ａ）は下方側から見た斜視図であり、図中（ｂ）は上方側から見た斜視図である。
【図１２】図１０（ａ）の組立体と下パイプ基材との連結構造を示し、図中（ａ）は組立斜視図であり、図中（ｂ）は分解斜視図である。
【図１３】図１２（ａ）の組立体と上パイプ基材との連結構造を示し、図中（ａ）は組立斜視図であり、図中（ｂ）は分解斜視図である。
【図１４】図１３（ａ）の組立体と操作レバーとの連結構造を示し、図中（ａ）は組立斜視図であり、図中（ｂ）は分解斜視図である。
【図１５】本発明の実施例に係るヘアーアイロンであって、切替軸を摺動させて切替軸と上パイプ基部と髪押さえ基部と回転子との位置関係を示す模式図であって、図中（ａ）は第１切替位置を示し、図中（ｂ）は第２切替位置を示し、図中（ｃ）は第３切替位置を示示す。
【発明を実施するための形態】
【００１４】
次に本発明の好適な実施例を添付の図面に基づいて詳細に説明する。
【実施例１】
【００１５】
図１〜図５に示すＡはヘアーアイロンであり、ヘアーアイロンＡは、把持部Ａ１と毛髪挟持部Ａ２とから構成される。把持部Ａ１は、棒状をなしており、ヘアーアイロンＡを使用する際に、手でつかむ部分である。この把持部Ａ１は、図１及び図２において図示を省略するが、その内部には充電池が収納されており、不図示の電源コードを接続すれば、充電できるようになっている。したがって、電源コードが常に接続されている従来のヘアーアイロンに比べて、コードレスになるため操作性がよく、コンパクトであって携帯に便利なものとなる。なお、電池式としても同様の作用効果がある。尤も電源コードが常に接続されているタイプでも本発明が実施可能である。毛髪挟持部Ａ２は、把持部Ａ１の図１及び図２において左端側に連設され、毛髪を挟み込む機能を有する部分であって、その内部に不図示の電気ヒーターが内蔵され、充電池から接続される配線が把持部内を通って、電気ヒーターに接続されている。
【００１６】
毛髪挟持部Ａ２は、下パイプ１０、上パイプ２０、髪押さえ板３０、操作レバー４０及び切替軸５０とから構成される。ヘアーアイロンＡは、非使用時には、図１に示すように、毛髪挟持部Ａ２における下パイプ１０、上パイプ２０及び髪押さえ板３０が閉じており、操作レバー４０のレバー部４１が押し上がっている。このレバー部４１は、後述（図１５（ｂ））する構造により、下パイプ１０、上パイプ２０及び髪押さえ板３０が閉じた状態で押し下げることが可能であり、図２において破線で示す収納カバーＢに収納してコンパクトな形態にすることが可能である。
【００１７】
すなわち、ヘアーアイロンＡは、操作レバー４０のレバー部４１を押し下げると、図３に示すように、上パイプ２０及び髪押さえ板３０が下パイプ１０に対して開く第１切替位置と、図４に示すように、上パイプ２０及び髪押さえ板３０が下パイプ１０に対して開かずに閉じた状態となる第２切替位置と、図５に示すように、上パイプ２０は下パイプ１０に対して開かずに髪押さえ板３０のみが上パイプ２０に対して開く第３切替位置とを切替軸５０を使用して切り替えることができる。
【００１８】
前記下パイプ１０は、図６に示すように、上面が平坦面１１であり、下面が下半周面１２である断面下半円状の中空パイプであって、不図示の電気ヒーターが内蔵されている。そして、下パイプ１０は、その把持部取付側に下パイプ基材１３がネジ止めにより取り付けられている。この下パイプ基材１３には、下パイプ１０に直交する方向に一対の下半円状軸受部１４が形成されていて、後述（図１２）する切替軸５０の突出部５２を受けて支持するようになっている。当該突出部５２は円柱状であって、下半円状軸受部１４に対して回転可能に構成されているため、下半円状軸受部１４に対して切替軸５０が回転しても下半円状軸受部１４、すなわち下半円状軸受部１４が形成されている下パイプ基材１３及び下パイプ基材１３に連設されている下パイプ１０は回転しないようになっている。
【００１９】
前記上パイプ２０は、図７に示すように、下パイプ１０の平坦面１１上に位置し、下パイプ１０の平坦面１１に対して開閉自在の平坦面２１を有しており、上面が上半円周面２２である断面上半円状をなす中空パイプであって、不図示の電気ヒーターが内蔵されている。そして、上パイプ２０は、その把持部取付側に上パイプ基材２３がネジ止めにより取り付けられている。この上パイプ基材２３には、上パイプ２０に直交する方向に一対の角形状軸受部２４が形成されていて、後述（図１０及び図１３）する切替軸５０の切替作用部５１を受けて支持するようになっている。当該切替作用部５１は、断面角形部５１ａと断面円状部５１ｂとから形成されており、切替軸５０の断面角形部５１ａが角形状軸受部２４に位置したときには、切替軸５０が回転すると角形状軸受部２４、すなわち、角形状軸受部２４が形成されている上パイプ基材２３及び上パイプ基材２３に連設されている上パイプ２０が回転することになる。一方、切替軸５０の断面円状部５１ｂが角形状軸受部２４に位置したときには、角形状軸受部２４に対して切替軸５０が回転しても角形状軸受部２４、すなわち、角形状軸受部２４が形成されている上パイプ基材２３及び上パイプ基材２３に連設されている上パイプ２０は回転しないようになっている。
【００２０】
髪押さえ板３０は、図８に示すように、上パイプ２０の上半円周面２２上に位置し、上パイプ２０の上半円周面２２に沿った上半円状の形状であって上パイプ２０の上半円周面２２に対して開閉自在に構成されている。
【００２１】
そして、髪押さえ板３０は、その把持部取付側に髪押さえ板基材３３がネジ止めにより取り付けられている。この髪押さえ板基材３３には、髪押さえ板３０に直交する方向に第１切替軸受部３４と第２切替軸受部３５とが形成されていて、後述（図１０）する切替軸５０の切替作用部５１を受けて支持するようになっている。当該切替作用部５１は、断面角形部５１ａと断面円状部５１ｂとから形成されており、第１切替軸受部３４は切替軸５０の断面角形部５１ａの回転と共に回転する角形状部３４ａと切替軸５０の断面角形部５１ａの回転に拘わらず回転しない円形状部３４ｂとからなり、第２切替軸受部３５は切替軸５０の回転に拘わらず回転しない円形状である。すなわち、切替軸５０の断面角形部５１ａが第１切替軸受部３４の角形状部３４ａに位置したときには、切替軸５０が回転すると第１切替軸受部３４、すなわち第１切替軸受部３４が形成されている髪押さえ板基材３３及び髪押さえ板基材３３に連設されている髪押さえ板３０が回転することになる。一方、切替軸５０の断面円状部５１ｂが第１切替軸受部３４に位置したときには、第１切替軸受部３４に対して切替軸５０が回転しても、第２切替軸受部３５も切替軸５０の回転に拘わらず回転しない円形状であることも相俟って、第１切替軸受部３４、すなわち第１切替軸受部３４が形成されている髪押さえ板基材３３及び髪押さえ板基材３３に連設されている髪押さえ板３０が回転しないようになっている。
【００２２】
前記の髪押さえ板基材３３には、図９に示すように、第１切替軸受部３４と第２切替軸受部３５との間に回転子６０が配されている。当該回転子６０は、切替軸５０の断面角形部５１ａを受ける角形状軸受部６４を有している。また、後述（図１０及び図１４）する操作レバー４０のレバー部４１を押し下げたときに、レバー部４１の裏面に当接して、後方に倒れる垂直軸部６５が設けられている。したがって、操作レバー４０のレバー部４１を押し下げると垂直軸部６５が倒れると共に回転子６０を回転させる。
【００２３】
上記の回転子６０を組み込んだ髪押さえ板基材３３には、図１０に示すように、髪押さえ板基材３３の第１切替軸受部３４及び第２切替軸受部３５と回転子６０の角形状軸受部６４を貫通するように切替軸５０が挿入される。切替軸５０は棒状の形態をなすものであって、切替作用部５１とその両端の突出部５２とから構成される。切替作用部５１は、中央の断面角形部５１ａと、該断面角形部５１ａの両側に位置し、断面角形部５１ａの内接円より短い直径の断面円状部５１ｂとから構成される。例えば、断面角形部５１ａの断面が正方形で、断面円状部５１ｂの断面が円形の場合は、当該円形は前記正方形の内接円より小さい円形であることを意味する。この切替軸５０は、その軸方向に摺動させることにより、後述（図１５）するように第１切替位置、第２切替位置及び第３切替位置に切替可能である。そして、本実施例のヘアーアイロンＡは、これが組み立てられたときには、切替軸５０の断面角形部５１ａは常に回転子６０の角形状軸受部６４に位置しており、前述（図９）のように操作レバー４０のレバー部４１を押し下げて回転子６０を回転させたときには、切替軸５０が回転するようになっている。
【００２４】
そして、切替軸５０を軸方向に変位させて、切替軸５０の断面角形部５１ａを髪押さえ板基材３３の角形状をなす第１切替軸受部３４の角形状部３４ａに位置させたときには、操作レバー４０のレバー部４１の押し下げ動作により回転子６０を回転させると、第１切替軸受部３４が回転し、髪押さえ板基材３３及び髪押さえ板３０も回転する。この髪押さえ板３０の回転は、後述（図１２）するように下パイプ１０が操作レバー４０のレバー部４１の押し下げ動作により回転しないことから、下パイプ１０に対して髪押さえ板３０が開く作用をすることになる。すなわち、切替軸５０の断面角形部５１ａを髪押さえ板基材３３における第１切替軸受部３４の角形状部３４ａに位置させたときには、操作レバー４０を押し下げると髪押さえ板３０が下パイプ１０に対して開くことになる。ところが、切替軸５０を軸方向に変位させて、切替軸５０の断面角形部５１ａが髪押さえ板基材３３の第１切替軸受部３４の角形状部３４ａの位置から外れて第１切替軸受部３４の円形状部３４ｂに位置したときには、操作レバー４０のレバー部４１の押し下げ動作により回転子６０を回転させても、第１切替軸受部３４の円形状部３４ｂ及び円形状の第１切替軸受部３５は回転することなく、髪押さえ板基材３３及び髪押さえ板３０も回転しない。すなわち、切替軸５０の断面角形部５１ａが髪押さえ板基材３３の第２切替軸受部３４の角形状部３４ａの位置から外れたときには、操作レバー４０を押し下げても髪押さえ板３０は下パイプ１０に対して開かないことになる。
【００２５】
また、図１１に示すように、前記切替軸５０の下部には、連結部材７０が設けられており、連結部材７０にはマイクロスイッチ７１が取り付けられている。このマイクロスイッチ７１は不図示の電源コードからの配線と電気ヒーターからの配線とが接続されており、切替軸５０が摺動して第１切替位置、第２切替位置及び第３切替位置に切り替わったときに、それぞれの切替位置に応じて電気ヒーターへ通電したり、電気ヒーターへの通電を遮断する通電切替の機能を果たす。
【００２６】
図１２は、上記の切替軸５０を挿入した回転子６０及び髪押さえ板基材３３を、下パイプ基材１３に組み込む構造を示す。図示するように、切替軸５０は、その突出部５２が下パイプ基材１３の一対の下半円状軸受部１４により回転可能に支持されており、切替軸５０を軸方向に変位させても切替軸５０の突出部５２は常に下半円状軸受部１４により支持されるように構成されている。そして、切替軸５０の突出部５２が円柱状であり、下パイプ基材１３の下半円状軸受部１４が半円状であるため、操作レバー４０のレバー部４１の押し下げ動作により切替軸５０が回転しても、下パイプ基材１３の下半円状軸受部１４、すなわち下半円状軸受部１４が形成されている下パイプ基材１３及び下パイプ基材１３に連設されている下パイプ１０は回転しない。換言すれば、下パイプ１０に対して切替軸５０は自由に回転できるように構成されている。したがって、切替軸５０を軸方向に変位させたどの位置においても、操作レバー４０のレバー部４１を押し下げる動作は、回転子６０の回転により切替軸５０が回転するだけで、下パイプ基材１３を回転させず、下パイプ基材１３に連設された下パイプ１０も回転させない。
【００２７】
図１３は、上記の切替軸５０を挿入した回転子６０及び髪押さえ板基材３３を組み込んだ下パイプ基材１３に、上パイプ基材２３を組み込む構造を示す。図示するように、切替軸５０は、その切替作用部５１が上パイプ基材２３の角形状軸受部２４により支持されている。そして、切替軸５０を軸方向に変位させて、切替軸５０の断面角形部５１ａを角形状軸受部２４に位置させたときには、操作レバー４０のレバー部４１の押し下げ動作により切替軸５０が回転すると、角形状軸受部２４、すなわち、角形状軸受部２４が形成されている上パイプ基材２３が回転し、上パイプ基材２３に連設されている上パイプ２０が回転する。この上パイプ２０の回転は、前述（図１２）したように下パイプ１０が操作レバー４０のレバー部４１の押し下げ動作により回転しないことから、下パイプ１０に対して上パイプ２０が開く作用をすることになる。すなわち、切替軸５０の断面角形部５１ａが上パイプ基材２３の角形状軸受部２４に位置したときには、操作レバー４０を押し下げると下パイプ１０に対して上パイプ２０が開くことになる。なお、この場合において、切替軸５０の断面角形部５１ａが髪押さえ板基材３３の第１切替軸受部３４の角形状部３４ａの位置から外れて、操作レバー４０を押し下げても下パイプ１０に対して髪押さえ板３０は開かない状態にあっても、髪押さえ板基材３３は上パイプ２０の上に重ねて配されているので、上パイプ２０が開くと共に髪押さえ板基材３３も開くことになる。一方、切替軸５０を軸方向に変位させて、切替軸５０の断面角形部５１ａが角形状軸受部２４の位置から外れたときには、操作レバー４０のレバー部４１の押し下げ動作により切替軸５０が回転しても、角形状軸受部２４、すなわち、角形状軸受部２４が形成されている上パイプ基材２３は回転せず、上パイプ基材２３に連設されている上パイプ２０も回転しない。すなわち、切替軸５０の断面角形部５１ａが上パイプ基材２３の角形状軸受部２４の位置から外れたときには、操作レバー４０を押し下げても下パイプ１０に対して上パイプ２０が開かないことになる。
【００２８】
図１４は、上記の切替軸５０を挿入した回転子６０、髪押さえ板基材３３及び上パイプ基材２３を組み込んだ下パイプ基材１３に操作レバー４０を組み込む構造を示す。操作レバー４０は、レバー部４１がヘアーアイロンＡから突出して配されている。すなわち、レバー部４１の裏面と下パイプ基材１３との間に、下パイプ基材１３からレバー部４１を押し上げる方向にスプリング８０が配されており、そのためヘアーアイロンＡから突出した状態となっている。当該操作レバー４０は、前述（図３〜図５）してきたように、レバー部４１の押し下げ及びスプリング８０の付勢力による押し上げにより、上パイプ２０及び押さえ板３０の開閉操作を行う。また、操作レバー４０は、該操作レバー４０の切替軸取付側端部に一対の円形状軸受部４２を備えている。この円形状軸受部４２は操作レバー４０に直交する方向に形成されており、切替軸５０の突出部５２を受け、切替軸５０の回転に拘わらず回転しないようになっている。すなわち、切替軸５０における円柱状の突出部５２が該操作レバー４０の円形状軸受部４２に回転可能に支持されている。
【００２９】
次に、上記したヘアーアイロンＡの動作を整理して説明する。
【００３０】
図１５に示す（ａ）の状態においては、切替軸５０の断面角形部５１ａが髪押さえ板基材３３における第１切替軸受部３４の角形状部３４ａに位置し、切替軸５０の断面角形部５１ａが上パイプ基材２３の角形状軸受部２４の位置から外れて切替軸５０の断面円状部５１ｂが上パイプ基材２３の角形状軸受部２４に位置したときには、操作レバー４０を押し下げると下パイプ１０に対して上パイプ２０は開かずに髪押さえ板３０のみが開く状態となる。すなわち、切替軸５０の第１切替位置は、切替軸５０の断面角形部５１ａが髪押さえ板基材３３の第１切替軸受部３４の角形状部３４に位置し、切替軸５０の断面円状部５１ｂが上パイプ基材２３の角形状軸受部２４に位置するように構成したので、第１切替位置においては、操作レバー４０のレバー部４１を押し下げると、下パイプ１０に対して上パイプ２０は開かずに上パイプ２０に対して髪押さえ板３０のみが開くことになる。
【００３１】
図１５に示す（ｂ）の状態においては、切替軸５０の断面角形部５１ａが髪押さえ板基材３３の第１切替軸受部３４の角形状部３４の位置から外れて切替軸５０の断面円状部５１ｂが髪押さえ板基材３３の第１切替軸受部３４に位置し、切替軸５０の断面角形部５１ａが上パイプ基材２３の角形状軸受部２４の位置から外れて切替軸５０の断面円状部５１ｂが上パイプ基材２３の角形状軸受部２４に位置したときには、操作レバー４０を押し下げても下パイプ１０に対して上パイプ２０及び髪押さえ板３０は開かない状態となる。すなわち、切替軸５０の第２切替位置は、切替軸５０の断面円状部５１ｂが上パイプ基材２３の角形状軸受部２４及び髪押さえ板基材３３の第１切替軸受部３４に位置するように構成したので、第２切替位置においては、下パイプ１０、上パイプ２０及び髪押さえ板３０がそれぞれ開かずに、操作レバー４０のレバー部４１を押し下げることを可能とした。これにより、カバーＢなどに収納してコンパクトにすることが可能となるので、携帯に便利である。
【００３２】
図１５に示す（ｃ）の状態においては、切替軸５０の断面角形部５１ａが上パイプ基材２３の角形状軸受部２４に位置したときには、操作レバー４０を押し下げると下パイプ１０に対して上パイプ２０及び髪押さえ板３０が開く状態となる。すなわち、切替軸５０の第３切替位置は、切替軸５０の断面角形部５１ａが上パイプ基材２３の角形状軸受部２４に位置するように構成したので、第３切替位置においては、操作レバー４０のレバー部４１を押し下げると、下パイプ１０に対して上パイプ２０と髪押さえ板３０とが開くことになる。
【００３３】
また、前述したマイクロスイッチ７１については、切替軸５０が第１切替位置及び第３切替位置にあるときには、マイクロスイッチ７１がＯＮになって電気ヒーターに通電されるように構成し、切替軸５０が第２切替位置にあるときには、マイクロスイッチ７１がＯＦＦになって電気ヒーターの通電が遮断されるように構成した。したがって、下パイプ１０、上パイプ２０及び髪押さえ板３０がそれぞれ開かずに、操作レバー４０のレバー部４１を押し下げることを可能とした第２切替位置の状態においては、電気ヒーターの通電が遮断されるので、カバーＢ等に操作レバー４０のレバー部４１を押し下げた状態で毛髪挟持部Ａ２を収納すれば、加熱するおそれがなくなるので、安全である。
【００３４】
以上、本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００３５】
Ａ………ヘアーアイロン
Ａ１……把持部
Ａ２……毛髪挟持部
Ｂ………収納カバー
１０……下パイプ
１１……下パイプの平坦面
１２……下パイプの下半円周面
１３……下パイプ基材
１４……下パイプ基材の下半円状軸受部
２０……上パイプ
２１……上パイプの平坦面
２２……上パイプの上半円周面
２３……上パイプ基材
２４……上パイプ基材の角形状軸受部
３０……髪押さえ板
３３……髪押さえ板基材
３４……第１切替軸受部（角円混合形状）
３４ａ…第１切替軸受部の角形状部
３４ｂ…第１切替軸受部の円形状部
３５……第２切替軸受部（円形状）
４０……操作レバー
４１……レバー部
４２……操作レバーの円形状軸受部
５０……切替軸
５１……切替軸の切替作用部
５１ａ…切替作用部の断面角形部
５１ｂ…切替作用部の断面円状部
５２……切替軸の突出部
６０……回転子
６４……回転子の角形状軸受部
６５……回転子の垂直軸部
７０……切替軸に設けた連結部材
７１……切替軸に取り付けたマイクロスイッチ
８０……スプリング
【図１】
2015073841.tif 000003
【図２】
2015073841.tif 000004
【図３】
2015073841.tif 000005
【図４】
2015073841.tif 000006
【図５】
2015073841.tif 000007
【図６】
2015073841.tif 000008
【図７】
2015073841.tif 000009
【図８】
2015073841.tif 000010
【図９】
2015073841.tif 000011
【図１０】
2015073841.tif 000012
【図１１】
2015073841.tif 000013
【図１２】
2015073841.tif 000014
【図１３】
2015073841.tif 000015
【図１４】
2015073841.tif 000016
【図１５】
2015073841.tif 000017